(57)【要約】  タイマを管理する方法、情報を伝送する方法、端末装置、及びネットワーク装置を提供する。該タイマを管理する該方法は端末装置に適用され、該端末装置は準静的スケジューリング（ＳＰＳ）タイマを備え、該方法は、該端末装置が、セル無線ネットワーク一時識別子（Ｃ−ＲＮＴＩ）でスクランブルされた第１物理ダウンリンク制御チャネル（ＰＤＣＣＨ）を受信した後、該ＳＰＳタイマを停止又は起動するかどうかを決定することを含む。本願実施例では、端末装置が該第１ＰＤＣＣＨを受信した後、Ｃ−ＲＮＴＩでスケジューリングされた動的リソースに基づいて該ＳＰＳタイマを起動又は停止又は起動することができ、それによって、ＳＰＳタイマと既存のシステムフレームとの互換性が効果的に高められる。
2021508207.tif 000002
【特許請求の範囲】
【請求項１】
タイマを管理する方法であって、端末装置に適用され、前記端末装置は準静的スケジューリング（ＳＰＳ）タイマを備え、
前記端末装置が、セル無線ネットワーク一時識別子（Ｃ−ＲＮＴＩ）でスクランブルされた第１物理ダウンリンク制御チャネル（ＰＤＣＣＨ）を受信した後、前記ＳＰＳタイマを停止又は起動するかどうかを決定することを含むことを特徴とする、タイマを管理する方法。
【請求項２】
前記ＳＰＳタイマを停止又は起動するかどうかを決定することは、
前記端末装置が第１条件を満たす場合、前記ＳＰＳタイマを停止すると決定し、前記第１条件は前記端末装置が前記第１ＰＤＣＣＨを取得した後に前記ＳＰＳタイマを停止するかどうかを判断するための基準であることを含むことを特徴とする請求項１に記載の方法。
【請求項３】
前記端末装置が第１条件を満たす場合、前記ＳＰＳタイマを停止すると決定することは、
前記端末装置が、前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、前記ＳＰＳタイマを停止することを含むことを特徴とする請求項２に記載の方法。
【請求項４】
前記端末装置が第１条件を満たす場合、前記ＳＰＳタイマを停止すると決定することは、
前記端末装置が、前記端末装置の前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳリソースを使用してアップリンクデータの送信を行ったと決定した場合、前記ＳＰＳタイマを停止することを含むことを特徴とする請求項２に記載の方法。
【請求項５】
前記端末装置が第１条件を満たす場合、前記ＳＰＳタイマを停止すると決定することは、
前記端末装置が前記ＳＰＳタイマが作動していると決定した場合、前記ＳＰＳタイマを停止することを含むことを特徴とする請求項２に記載の方法。
【請求項６】
前記ＳＰＳタイマを停止又は起動するかどうかを決定することは、
前記端末装置が第２条件を満たす場合、前記ＳＰＳタイマを起動又は再起動すると決定し、前記第２条件は前記端末装置が前記第１ＰＤＣＣＨを取得した後に前記ＳＰＳタイマを起動するかどうかを判断するための基準であることを含むことを特徴とする請求項１〜５のいずれか１項に記載の方法。
【請求項７】
前記端末装置が第２条件を満たす場合、前記ＳＰＳタイマを起動又は再起動すると決定することは、
前記端末装置が、ＳＰＳリソースが配置されていると決定した場合、前記ＳＰＳタイマを起動又は再起動することを含むことを特徴とする請求項６に記載の方法。
【請求項８】
前記端末装置がＳＰＳリソースが配置されていると決定した場合、前記ＳＰＳタイマを起動又は再起動することは、
前記端末装置が、ＳＰＳリソースが配置され且つ前記端末装置の前記ＳＰＳリソースはアクティブ化されていると決定した場合、前記ＳＰＳタイマを起動又は再起動することを含むことを特徴とする請求項７に記載の方法。
【請求項９】
前記ＳＰＳタイマを停止又は起動するかどうかを決定する前に、前記方法は更に、
前記端末装置が前記ネットワーク装置から送信された設定情報を受信し、前記設定情報は前記端末装置が前記第１ＰＤＣＣＨを取得した後に前記ＳＰＳタイマを停止又は起動するかどうかを決定することに用いられることを含み、
前記ＳＰＳタイマを停止又は起動するかどうかを決定することは、
前記端末装置が前記設定情報に基づいて、前記ＳＰＳタイマを停止又は起動するかどうかを決定することを含むことを特徴とする請求項１に記載の方法。
【請求項１０】
前記端末装置が前記ネットワーク装置から送信された設定情報を受信することは、
前記端末装置が前記ネットワーク装置から送信された無線リソース制御（ＲＲＣ）シグナリングを受信し、前記ＲＲＣシグナリングは前記設定情報を含むことを含むことを特徴とする請求項９に記載の方法。
【請求項１１】
前記ＳＰＳタイマを停止又は起動するかどうかを決定する前に、前記方法は更に、
前記端末装置がＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信することと、
前記端末装置が前記ＳＰＳタイマを起動することと、を含むことを特徴とする請求項１〜１０のいずれか１項に記載の方法。
【請求項１２】
情報を伝送する方法であって、
ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信することを含むことを特徴とする、情報を伝送する方法。
【請求項１３】
前記ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信する前に、前記方法は更に、
前記ネットワーク装置が前記端末装置に設定情報を送信し、前記設定情報は前記端末装置が前記第１ＰＤＣＣＨに示されたリソースを取得した後に前記端末装置の準静的スケジューリング（ＳＰＳ）タイマを停止又は起動するかどうかを決定することに用いられることを含むことを特徴とする請求項１２に記載の方法。
【請求項１４】
前記ネットワーク装置が前記端末装置に設定情報を送信することは、
前記ネットワーク装置が前記端末装置に無線リソース制御（ＲＲＣ）シグナリングを送信し、前記ＲＲＣシグナリングは前記設定情報を含むことを含むことを特徴とする請求項１３に記載の方法。
【請求項１５】
前記ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信する前に、前記方法は更に、
前記ネットワーク装置が準静的スケジューリング（ＳＰＳ）リソースにおいてネットワーク装置から送信された新しいデータを受信し、又はＳＰＳ無線ネットワーク一時識別子でスクランブルされた第１ＰＤＣＣＨによってスケジューリングされたリソースにおいて、前記端末装置から送信された再送データを受信することを含むことを特徴とする請求項１２〜１４のいずれか１項に記載の方法。
【請求項１６】
端末装置であって、準静的スケジューリング（ＳＰＳ）タイマを備え、
セル無線ネットワーク一時識別子（Ｃ−ＲＮＴＩ）でスクランブルされた第１物理ダウンリンク制御チャネル（ＰＤＣＣＨ）を受信することに用いられる送受信ユニットと、
前記ＳＰＳタイマを停止又は起動するかどうかを決定することに用いられる処理ユニットと、を備えることを特徴とする端末装置。
【請求項１７】
前記処理ユニットは具体的に、
第１条件を満たす場合、前記ＳＰＳタイマを停止すると決定し、前記第１条件は前記端末装置が前記第１ＰＤＣＣＨを取得した後に前記ＳＰＳタイマを停止するかどうかを判断するための基準であることに用いられることを特徴とする請求項１６に記載の端末装置。
【請求項１８】
前記処理ユニットはより具体的に、
前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、前記ＳＰＳタイマを停止することに用いられることを特徴とする請求項１７に記載の端末装置。
【請求項１９】
前記処理ユニットはより具体的に、
前記端末装置の前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳリソースを使用してアップリンクデータの送信を行ったと決定した場合、前記ＳＰＳタイマを停止することに用いられることを特徴とする請求項１７に記載の端末装置。
【請求項２０】
前記処理ユニットはより具体的に、
前記ＳＰＳタイマが作動していると決定した場合、前記ＳＰＳタイマを停止することに用いられることを特徴とする請求項１７に記載の端末装置。
【請求項２１】
前記処理ユニットはより具体的に、
第２条件を満たす場合、前記ＳＰＳタイマを起動又は再起動すると決定し、前記第２条件は前記端末装置が前記第１ＰＤＣＣＨを取得した後に前記ＳＰＳタイマを起動するかどうかを判断するための基準であることに用いられることを特徴とする請求項１６〜２０のいずれか１項に記載の端末装置。
【請求項２２】
前記処理ユニットはより具体的に、
ＳＰＳリソースが配置されていると決定した場合、前記ＳＰＳタイマを起動又は再起動することに用いられることを特徴とする請求項２１に記載の端末装置。
【請求項２３】
前記処理ユニットはより具体的に、
ＳＰＳリソースが配置され且つ前記端末装置の前記ＳＰＳリソースはアクティブ化されている場合、前記ＳＰＳタイマを起動又は再起動することに用いられることを特徴とする請求項２１に記載の端末装置。
【請求項２４】
前記送受信ユニットは更に、
前記ＳＰＳタイマを停止又は起動するかどうかを決定する前に、前記ネットワーク装置から送信された設定情報を受信することに用いられ、前記設定情報は前記端末装置が前記第１ＰＤＣＣＨを取得した後に前記ＳＰＳタイマを停止又は起動するかどうかを決定することに用いられ、
前記処理ユニットはより具体的に、
前記設定情報に基づいて前記ＳＰＳタイマを停止又は起動するかどうかを決定することに用いられることを特徴とする請求項１６に記載の端末装置。
【請求項２５】
前記送受信ユニットは具体的に、
前記ネットワーク装置から送信された無線リソース制御（ＲＲＣ）シグナリングを受信し、前記ＲＲＣシグナリングは前記設定情報を含むことに用いられることを特徴とする請求項２４に記載の端末装置。
【請求項２６】
前記送受信ユニットは更に、
前記処理ユニットが前記ＳＰＳタイマを停止又は起動するかどうかを決定する前に、ＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信することに用いられ、
前記処理ユニットは更に前記ＳＰＳタイマを起動することに用いられることを特徴とする請求項１６〜２５のいずれか１項に記載の端末装置。
【請求項２７】
ネットワーク装置であって、
セル無線ネットワーク一時識別子（Ｃ−ＲＮＴＩ）でスクランブルされた第１物理ダウンリンク制御チャネル（ＰＤＣＣＨ）を前記端末装置に送信することに用いられる送受信ユニットを備えることを特徴とするネットワーク装置。
【請求項２８】
前記送受信ユニットは更に、
セル無線ネットワーク一時識別子（Ｃ−ＲＮＴＩ）でスクランブルされた第１物理ダウンリンク制御チャネル（ＰＤＣＣＨ）を前記端末装置に送信する前に、前記端末装置に設定情報を送信することに用いられ、前記設定情報は、前記端末装置が前記第１ＰＤＣＣＨに示されたリソースを取得した後に前記端末装置の準静的スケジューリング（ＳＰＳ）タイマを停止又は起動するかどうかを決定することに用いられることを特徴とする請求項２７に記載のネットワーク装置。
【請求項２９】
前記送受信ユニットは具体的に、
前記端末装置に無線リソース制御（ＲＲＣ）シグナリングを送信し、前記ＲＲＣシグナリングは前記設定情報を含むことに用いられることを特徴とする請求項２８に記載のネットワーク装置。
【請求項３０】
前記送受信ユニットは更に、
セル無線ネットワーク一時識別子（Ｃ−ＲＮＴＩ）でスクランブルされた第１物理ダウンリンク制御チャネル（ＰＤＣＣＨ）を前記端末装置に送信する前に、準静的スケジューリング（ＳＰＳ）リソースにおいてネットワーク装置から送信された新しいデータを受信し、又はＳＰＳ無線ネットワーク一時識別子でスクランブルされた第１ＰＤＣＣＨによってスケジューリングされたリソースにおいて前記端末装置から送信された再送データを受信することに用いられることを特徴とする請求項２７〜２９のいずれか１項に記載のネットワーク装置。
【発明の詳細な説明】
【技術分野】
【０００１】
本願実施例は通信分野に関し、より具体的に、データを再送する方法、端末装置、及びネットワーク装置に関する。
【背景技術】
【０００２】
新しいエアインタフェース（ＮＲ、Ｎｅｗ  Ｒａｄｉｏ）では、準静的スケジューリング（ＳＰＳ、Ｓｅｍｉ−Ｐｅｒｓｉｓｔｅｎｔ  Ｓｃｈｅｄｕｌｉｎｇ）タイマが定義されている。具体的には以下のことが定義されている。
【０００３】
１．１つの再送データ／新しい伝送データが、準静的リソース、又は準静的無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）に基づいてスケジューリングされた動的リソースにおいて送信される場合、該タイマが起動する。
【０００４】
２．該タイマが作動している時、ユーザが現時点で準静的リソースを持っている場合、ユーザは如何なる伝送もしない。
【０００５】
３．該タイマが作動している時、ユーザが準静的ＲＮＴＩに基づいてスケジューリングされた動的リソースを受信した場合、該タイマは停止又は起動し、そして上記１．に基づいて該タイマを再起動する。
【０００６】
しかし、該タイマはセル無線ネットワーク一時識別子（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）に基づいてスケジューリングされた動的リソースを取得した後、ＳＰＳタイマの関係規定に関与せず、既存のシステムフレームとの互換性は比較的に弱い。
【発明の概要】
【発明が解決しようとする課題】
【０００７】
タイマを管理する方法、情報を伝送する方法、端末装置、及びネットワーク装置を提供する。ＳＰＳタイマと既存のシステムフレームとの互換性が効果的に高められることができる。
【課題を解決するための手段】
【０００８】
第１態様はタイマを管理する方法を提供し、端末装置に適用され、前記端末装置は準静的スケジューリング（ＳＰＳ）タイマを備え、
前記方法は、
前記端末装置が、セル無線ネットワーク一時識別子（Ｃ−ＲＮＴＩ）でスクランブルされた第１物理ダウンリンク制御チャネル（ＰＤＣＣＨ）を受信した後、前記ＳＰＳタイマを停止又は起動するかどうかを決定することを含む。
【０００９】
本願実施例では、端末装置が第１ＰＤＣＣＨを受信した後、Ｃ−ＲＮＴＩでスケジューリングされた動的リソースに基づいて該ＳＰＳタイマを起動又は停止又は起動することができ、それによって、ＳＰＳタイマと既存のシステムフレームとの互換性が効果的に高められる。
【００１０】
幾つかの可能な実現方式では、前記ＳＰＳタイマを停止又は起動するかどうかを決定することは、
前記端末装置が第１条件を満たす場合、前記ＳＰＳタイマを停止すると決定し、前記第１条件は前記端末装置が前記第１ＰＤＣＣＨを取得した後に前記ＳＰＳタイマを停止するかどうかを判断するための基準であることを含む。
【００１１】
幾つかの可能な実現方式では、前記端末装置が第１条件を満たす場合、前記ＳＰＳタイマを停止すると決定することは、
前記端末装置が、前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、前記ＳＰＳタイマを停止することを含む。
【００１２】
幾つかの可能な実現方式では、前記端末装置が第１条件を満たす場合、前記ＳＰＳタイマを停止すると決定することは、
前記端末装置が、前記端末装置の前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳリソースを使用してアップリンクデータの送信を行ったと決定した場合、前記ＳＰＳタイマを停止することを含む。
【００１３】
幾つかの可能な実現方式では、前記端末装置が第１条件を満たす場合、前記ＳＰＳタイマを停止すると決定することは、
前記端末装置が前記ＳＰＳタイマが作動していると決定した場合、前記ＳＰＳタイマを停止することを含む。
【００１４】
幾つかの可能な実現方式では、前記ＳＰＳタイマを停止又は起動するかどうかを決定することは、
前記端末装置が第２条件を満たす場合、前記ＳＰＳタイマを起動又は再起動すると決定し、前記第２条件は前記端末装置が前記第１ＰＤＣＣＨを取得した後に前記ＳＰＳタイマを起動するかどうかを判断するための基準であることを含む。
【００１５】
幾つかの可能な実現方式では、前記端末装置が第２条件を満たす場合、前記ＳＰＳタイマを起動又は再起動すると決定することは、
前記端末装置がＳＰＳリソースが配置されていると決定した場合、前記ＳＰＳタイマを起動又は再起動することを含む。
【００１６】
幾つかの可能な実現方式では、前記端末装置がＳＰＳリソースが配置されていると決定した場合、前記ＳＰＳタイマを起動又は再起動することは、
前記端末装置が、ＳＰＳリソースが配置され且つ前記端末装置の前記ＳＰＳリソースはアクティブ化されていると決定した場合、前記ＳＰＳタイマを起動又は再起動することを含む。
【００１７】
幾つかの可能な実現方式では、前記ＳＰＳタイマを停止又は起動するかどうかを決定する前に、前記方法は更に、
前記端末装置が前記ネットワーク装置から送信された設定情報を受信し、前記設定情報は前記端末装置が前記第１ＰＤＣＣＨを取得した後に前記ＳＰＳタイマを停止又は起動するかどうかを決定することに用いられることを含み、
前記ＳＰＳタイマを停止又は起動するかどうかを決定することは、
前記端末装置が前記設定情報に基づいて前記ＳＰＳタイマを停止又は起動するかどうかを決定することを含む。
【００１８】
幾つかの可能な実現方式では、前記端末装置が前記ネットワーク装置から送信された設定情報を受信することは、
前記端末装置が前記ネットワーク装置から送信された無線リソース制御（ＲＲＣ）シグナリングを受信し、前記ＲＲＣシグナリングは前記設定情報を含むことを含む。
【００１９】
幾つかの可能な実現方式では、前記ＳＰＳタイマを停止又は起動するかどうかを決定する前に、前記方法は更に、
前記端末装置がＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信することと、
前記端末装置が前記ＳＰＳタイマを起動することと、を含む。
【００２０】
第２態様は情報を伝送する方法を提供し、
ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信することを含む。
【００２１】
幾つかの可能な実現方式では、前記ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信する前に、前記方法は更に、
前記ネットワーク装置が前記端末装置に設定情報を送信し、前記設定情報は前記端末装置が前記第１ＰＤＣＣＨに示されたリソースを取得した後に前記端末装置の準静的スケジューリング（ＳＰＳ）タイマを停止又は起動するかどうかを決定することに用いられることを含む。
【００２２】
幾つかの可能な実現方式では、前記ネットワーク装置が前記端末装置に設定情報を送信することは、
前記ネットワーク装置が前記端末装置に無線リソース制御（ＲＲＣ）シグナリングを送信し、前記ＲＲＣシグナリングは前記設定情報を含むことを含む。
【００２３】
幾つかの可能な実現方式では、前記ネットワーク装置がセル無線ネットワーク一時識別子（Ｃ−ＲＮＴＩ）でスクランブルされた第１物理ダウンリンク制御チャネル（ＰＤＣＣＨ）を前記端末装置に送信する前に、前記方法は更に、
前記ネットワーク装置が準静的スケジューリング（ＳＰＳ）リソースにおいてネットワーク装置から送信された新しいデータを受信し、又はＳＰＳ無線ネットワーク一時識別子でスクランブルされた第１ＰＤＣＣＨによってスケジューリングされたリソースにおいて前記端末装置から送信された再送データを受信することを含む。
【００２４】
第３態様は端末装置を提供し、前記端末装置は準静的スケジューリング（ＳＰＳ）タイマを備え、
前記端末装置は、
セル無線ネットワーク一時識別子（Ｃ−ＲＮＴＩ）でスクランブルされた第１物理ダウンリンク制御チャネル（ＰＤＣＣＨ）を受信することに用いられる送受信ユニットと、
前記ＳＰＳタイマを停止又は起動するかどうかを決定することに用いられる処理ユニットと、を備える。
【００２５】
第４態様は、ネットワーク装置を提供し、
セル無線ネットワーク一時識別子（Ｃ−ＲＮＴＩ）でスクランブルされた第１物理ダウンリンク制御チャネル（ＰＤＣＣＨ）を前記端末装置に送信することに用いられる送受信ユニットを備える。
【００２６】
第５態様は端末装置を提供し、前記端末装置は準静的スケジューリング（ＳＰＳ）タイマを備え、
前記端末装置は、
セル無線ネットワーク一時識別子（Ｃ−ＲＮＴＩ）でスクランブルされた第１物理ダウンリンク制御チャネル（ＰＤＣＣＨ）を受信することに用いられる送受信機と、
前記ＳＰＳタイマを停止又は起動するかどうかを決定することに用いられるプロセッサと、を備える。
【００２７】
第６態様は、ネットワーク装置を提供し、
セル無線ネットワーク一時識別子（Ｃ−ＲＮＴＩ）でスクランブルされた第１物理ダウンリンク制御チャネル（ＰＤＣＣＨ）を前記端末装置に送信することに用いられる送受信機を備える。
【００２８】
第７態様はコンピュータプログラムを記憶するためのコンピュータ可読媒体を提供し、該コンピュータプログラムは、上記第１態様又は第２態様の方法実施例を実行するための命令を含む。
【００２９】
第８態様はコンピュータチップを提供し、入力インタフェース、出力インタフェース、少なくとも１つのプロセッサ、メモリを備え、前記プロセッサは前記メモリにおけるコードを実行することに用いられ、前記コードが実行される時、前記プロセッサは上記第１態様におけるタイマを管理する方法における、端末装置によって実行される各過程を実現できる。
【００３０】
第９態様はコンピュータチップを提供し、入力インタフェース、出力インタフェース、少なくとも１つのプロセッサ、メモリを備え、前記プロセッサは前記メモリにおけるコードを実行することに用いられ、前記コードが実行される時、前記プロセッサは上記第２態様における情報を伝送する方法における、ネットワーク装置によって実行される各過程を実現できる。
【００３１】
第１０態様は通信システムを提供し、前述した前記端末装置とネットワーク装置を備える。
【図面の簡単な説明】
【００３２】
【図１】図１は本願の応用シーンの例である。
【図２】図２は本願実施例のタイマを管理する方法の模式的なフローチャートである。
【図３】図３は本願実施例の情報を伝送する方法の模式的なフローチャートである。
【図４】図４は本願実施例の端末装置の模式的なブロック図である。
【図５】図５は本願実施例の他の１つの端末装置の模式的なブロック図である。
【図６】図６は本願実施例のネットワーク装置の模式的なブロック図である。
【図７】図７は本願実施例の他の１つのネットワーク装置の模式的なブロック図である。
【発明を実施するための形態】
【００３３】
図１は本願実施例の応用シーンの模式図である。
【００３４】
図１に示すように、通信システム１００は端末装置１１０とネットワーク装置１２０を備えてもよい。ネットワーク装置１２０はエアインタフェースを介して端末装置１１０と通信できる。端末装置１１０とネットワーク装置１２０との間はマルチサービス伝送をサポートする。
【００３５】
理解されるように、本願実施例は通信システム１００で例示的な説明をするだけであり、本願実施例はこれには限定されない。すなわち、本願実施例の技術案は、各種の通信システム、例えば、ロングタームエボリューション（ＬＴＥ、Ｌｏｎｇ  Ｔｅｒｍ  Ｅｖｏｌｕｔｉｏｎ）システム、ＬＴＥ時分割二重（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等に適用できる。説明の便利のために、以下の説明では、本願実施例は第５世代移動通信技術（５Ｇ、５−Ｇｅｎｅｒａｔｉｏｎ）の新しいエアインタフェース（ＮＲ、Ｎｅｗ  Ｒａｄｉｏ）通信システムを例にして説明を行う。
【００３６】
本願はネットワーク装置と端末装置を参照しながら各実施例を説明する。
【００３７】
ネットワーク装置１２０はネットワーク側の任意の、信号を送信又は受信するためのエンティティを指してもよい。例えば、マシンタイプ通信（ＭＴＣ）のユーザ装置、ＬＴＥにおける進化型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってもよい。
【００３８】
尚、端末装置１１０は任意の端末装置であってもよい。具体的に、端末装置１１０は、無線アクセスネットワーク（ＲＡＮ、Ｒａｄｉｏ  Ａｃｃｅｓｓ  Ｎｅｔｗｏｒｋ）を介して１つ又は複数のコアネットワーク（Ｃｏｒｅ  Ｎｅｔｗｏｒｋ）と通信でき、アクセス端末、ユーザ機器（ＵＥ、Ｕｓｅｒ  Ｅｑｕｉｐｍｅｎｔ）、加入者ユニット、加入者局、移動局、トラバーサー、遠隔局、遠隔端末、移動機器、ユーザ端末、端末、無線通信機器、ユーザエージェント、又はユーザ装置と称されてもよい。例えば、セルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えたハンドヘルド装置、計算装置又は無線モデムに接続された他の処理装置、車載装置、ウェアラブル装置及び５Ｇネットワークにおける端末装置等であってもよい。
【００３９】
新しいエアインタフェース（ＮＲ、Ｎｅｗ  Ｒａｄｉｏ）では、準静的スケジューリング（ＳＰＳ、Ｓｅｍｉ−Ｐｅｒｓｉｓｔｅｎｔ  Ｓｃｈｅｄｕｌｉｎｇ）タイマが定義されている。具体的には以下のことが定義されている。
【００４０】
１．１つの再送データ／新しい伝送データが、準静的リソース、又は準静的無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）に基づいてスケジューリングされた動的リソースにおいて送信される場合、該タイマが起動する。
【００４１】
２．該タイマが作動している時、ユーザが現時点で準静的リソースを持っている場合、ユーザは如何なる伝送もしない。
【００４２】
３．該タイマが作動している時、ユーザが準静的ＲＮＴＩに基づいてスケジューリングされた動的リソースを受信した場合、該タイマは起動又は停止又は起動し、そして上記１．に基づいて該タイマを再起動する。
【００４３】
しかし、該タイマは、セル無線ネットワーク一時識別子（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）に基づいてスケジューリングされた動的リソースに伴って起動又は停止又は起動することはなく、既存のシステムフレームとの互換性は比較的に弱い。
【００４４】
そこで、本願実施例では、タイマを管理する方法を提出し、ＳＰＳタイマと既存のシステムフレームとの互換性が効果的に高められることができる。
【００４５】
図２は本願実施例のタイマを管理する方法の模式的なフローチャートである。
【００４６】
図２に示すように、該方法は以下の２１０〜２２０のステップを含む。
【００４７】
２１０、端末装置は、Ｃ−ＲＮＴＩでスクランブルされた第１物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を受信する。
【００４８】
２２０、該端末装置は端末装置のＳＰＳタイマを停止又は起動するかどうかを決定する。
【００４９】
理解されるように、本願実施例では、ネットワーク装置と端末装置とが接続された後（ｃｏｎｎｅｃｔｅｄ）、端末装置はＣ−ＲＮＴＩ又はＳＰＳ−ＲＮＴＩを介してＰＤＣＣＨをデスクランブルし、スケジューリング情報を取得する。それによって、スケジューリング情報に基づいて物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）のリソース位置を決定し、そして該ＰＤＳＣＨリソース位置においてダウンリンクデータを取得する。
【００５０】
更に理解されるように、端末装置がＣ−ＲＮＴＩを介してＰＤＣＣＨをデスクランブルし、スケジューリング情報を取得し、それによって取得したリソースは、動的スケジューリングリソースであり、端末装置がＳＰＳ−ＲＮＴＩを介してＰＤＣＣＨをデスクランブルし、スケジューリング情報を取得し、それによって取得したリソースは、準静的スケジューリング（ＳＰＳ）リソース（例えば、ＳＰＳをアクティブ化した後のリソース）であってもよく、動的リソース（例えば、再送のためのリソース）であってもよい。
【００５１】
既存技術では、ＳＰＳタイマが作動している時、該端末装置が準静的ＲＮＴＩに基づいてスケジューリングされた動的リソースを受信した場合、タイマはまず停止し、それから再起動する。該ＳＰＳタイマがセル無線ネットワーク一時識別子（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）に基づいてスケジューリングされた動的リソースを受信した後、ＳＰＳタイマの関係規定に関与していない。
【００５２】
本願実施例では、端末装置が該第１ＰＤＣＣＨを受信した後、Ｃ−ＲＮＴＩに基づいてスケジューリングされた動的リソースに伴って該ＳＰＳタイマを起動又は停止又は起動することができ、それによって、ＳＰＳタイマと既存のシステムフレームとの互換性が効果的に高められる。
【００５３】
以下は、端末装置が該第１ＰＤＣＣＨを受信した後、該ＳＰＳタイマが停止又は起動する実現方式を説明する。
【００５４】
１つの実施例では、該端末装置が事前設定の条件を満たす場合、該ＳＰＳタイマを停止又は起動すると決定し、該事前設定の条件は該端末装置が該第１ＰＤＣＣＨを取得した後に該ＳＰＳタイマを停止又は起動するかどうかを判断するための基準である。
【００５５】
以下は、端末装置が該第１ＰＤＣＣＨを受信した後、該ＳＰＳタイマが停止する実現方式を例示的に説明する。
【００５６】
選択肢として、該端末装置が第１条件を満たす場合、該ＳＰＳタイマを停止すると決定し、該第１条件は該端末装置が該第１ＰＤＣＣＨを取得した後に該ＳＰＳタイマを停止するかどうかを判断するための基準である。
【００５７】
例えば、該端末装置が、該第１ＰＤＣＣＨに対応するハイブリッド自動再送要求（ＨＡＲＱ）プロセスが該第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、該ＳＰＳタイマを停止する。
【００５８】
また例えば、該端末装置が、該端末装置の該第１ＰＤＣＣＨに対応するハイブリッド自動再送要求（ＨＡＲＱ）プロセスが該第１ＰＤＣＣＨによってスケジューリングされたリソースを使用する前に、ＳＰＳリソースを使用してアップリンクデータの送信を行ったと決定した場合、該ＳＰＳタイマを停止する。
【００５９】
また例えば、該端末装置が、該ＳＰＳタイマが作動していると決定した場合、該ＳＰＳタイマを停止する。
【００６０】
理解されるように、本願実施例では該ＳＰＳタイマ作動（即ち起動）の実現方式については具体的な限定をしない。例えば、該端末装置が該ＳＰＳタイマを停止又は起動するかどうかを決定する前に、該端末装置はＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信してもよく、これにより、該端末装置は該ＳＰＳタイマを起動する。
【００６１】
以下は、端末装置が該第１ＰＤＣＣＨを受信した後、該ＳＰＳタイマが停止する実現方式を例示的に説明する。
【００６２】
選択肢として、該端末装置が第２条件を満たす場合、該ＳＰＳタイマを起動又は再起動すると決定し、該第２条件は該端末装置が該第１ＰＤＣＣＨを取得した後に該ＳＰＳタイマを起動するかどうかを判断するための基準である。
【００６３】
例えば、該端末装置がＳＰＳリソースが配置されていると決定した場合、該ＳＰＳタイマを起動又は再起動する。
【００６４】
更に、該端末装置が、ＳＰＳリソースが配置され且つ該端末装置の該ＳＰＳリソースはアクティブ化されていると決定した場合、該ＳＰＳタイマを起動又は再起動する。
【００６５】
理解されるように、上記の、該端末装置が事前設定の条件を満たす場合に該ＳＰＳタイマを停止又は起動すると決定する具体的な実施例は、単に例示的な記載であり、本願実施例はこれに限らない。
【００６６】
他の１つの実施例では、該端末装置が該ＳＰＳタイマを停止又は起動するかどうかを決定する前に、該ネットワーク装置から送信された設定情報を受信してもよく、該設定情報は該端末装置が該第１ＰＤＣＣＨを取得した後に該ＳＰＳタイマを停止又は起動するかどうかを決定することに用いられる。
【００６７】
これにより、該端末装置は該設定情報に基づいて該ＳＰＳタイマを停止又は起動するかどうかを決定する。
【００６８】
図３は本願実施例の情報を伝送する方法の模式的なフローチャートである。
【００６９】
具体的に、図３に示すように、該方法は以下の３１０〜３３０のステップを含む。
【００７０】
３１０、該ネットワーク装置は該端末装置に設定情報を送信し、該設定情報は該端末装置が該第１ＰＤＣＣＨを取得した後に該ＳＰＳタイマを停止又は起動するかどうかを決定することに用いられる。
【００７１】
３２０、該ネットワーク装置は該端末装置に該第１ＰＤＣＣＨを送信する。
【００７２】
３３０、該端末装置は該設定情報に基づいて該ＳＰＳタイマを停止又は起動するかどうかを決定する。
【００７３】
更に、該端末装置は該ネットワーク装置から送信された無線リソース制御（ＲＲＣ）シグナリングを受信し、該ＲＲＣシグナリングは該設定情報を含む。
【００７４】
図４は本願実施例の端末装置４００の模式的なブロック図である。理解されるように、該端末装置は準静的スケジューリング（ＳＰＳ）タイマを備える。
具体的に、図４に示すように、該端末装置４００は、
セル無線ネットワーク一時識別子（Ｃ−ＲＮＴＩ）でスクランブルされた第１物理ダウンリンク制御チャネル（ＰＤＣＣＨ）を受信することに用いられる送受信ユニット４１０と、
該ＳＰＳタイマを停止又は起動するかどうかを決定することに用いられる処理ユニット４２０と、を備える。
【００７５】
選択肢として、該処理ユニット４２０は具体的に、
第１条件を満たす場合、該ＳＰＳタイマを停止すると決定し、該第１条件は該端末装置が該第１ＰＤＣＣＨを取得した後に該ＳＰＳタイマを停止するかどうかを判断するための基準であることに用いられる。
【００７６】
選択肢として、該処理ユニット４２０はより具体的に、
該第１ＰＤＣＣＨに対応するハイブリッド自動再送要求（ＨＡＲＱ）プロセスが該第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、該ＳＰＳタイマを停止することに用いられる。
【００７７】
選択肢として、該処理ユニット４２０はより具体的に、
該端末装置の該第１ＰＤＣＣＨに対応するハイブリッド自動再送要求（ＨＡＲＱ）プロセスが該第１ＰＤＣＣＨによってスケジューリングされたリソースを使用する前に、ＳＰＳリソースを使用してアップリンクデータの送信を行ったと決定した場合、該ＳＰＳタイマを停止することに用いられる。
【００７８】
選択肢として、該処理ユニット４２０はより具体的に、
該ＳＰＳタイマが作動していると決定した場合、該ＳＰＳタイマを停止することに用いられる。
【００７９】
選択肢として、該処理ユニット４２０はより具体的に、
第２条件を満たす場合、該ＳＰＳタイマを起動又は再起動すると決定し、該第２条件は該端末装置が該第１ＰＤＣＣＨを取得した後に該ＳＰＳタイマを起動するかどうかを判断するための基準であることに用いられる。
【００８０】
選択肢として、該処理ユニット４２０はより具体的に、
ＳＰＳリソースが配置されていると決定した場合、該ＳＰＳタイマを起動又は再起動することに用いられる。
【００８１】
選択肢として、該処理ユニット４２０はより具体的に、
ＳＰＳリソースが配置され且つ該端末装置の該ＳＰＳリソースはアクティブ化されていると決定した場合、該ＳＰＳタイマを起動又は再起動することに用いられる。
【００８２】
選択肢として、該送受信ユニット４１０は更に、
該ＳＰＳタイマを停止又は起動するかどうかを決定する前に、該ネットワーク装置から送信された設定情報を受信することに用いられ、該設定情報は該端末装置が該第１ＰＤＣＣＨを取得した後に該ＳＰＳタイマを停止又は起動するかどうかを決定することに用いられ、該処理ユニット４２０はより具体的に、
該設定情報に基づいて該ＳＰＳタイマを停止又は起動するかどうかを決定することに用いられる。
【００８３】
選択肢として、該送受信ユニット４１０は具体的に、
該ネットワーク装置から送信された無線リソース制御（ＲＲＣ）シグナリングを受信し、該ＲＲＣシグナリングは該設定情報を含むことに用いられる。
【００８４】
選択肢として、該送受信ユニット４１０は更に、
該処理ユニット４２０が該ＳＰＳタイマを停止又は起動するかどうかを決定する前に、ＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信することに用いられ、該処理ユニット４２０は更に該ＳＰＳタイマを起動することに用いられる。
【００８５】
本願実施例では、送受信ユニット４１０は送受信機によって実現されてもよく、処理ユニット４２０はプロセッサによって実現されてもよい。図５に示すように、端末装置５００はプロセッサ５１０、送受信機５２０、及びメモリ５３０を備えてもよい。メモリ５３０は指示情報を記憶することに用いられてもよく、更にプロセッサ５１０の実行するコード、命令等を記憶することに用いられてもよい。端末装置５００における各構成要素はバスシステムを介して相互接続され、バスシステムはデータバスを備える他、更に電源バス、制御バス及び状態信号バスを備える。
【００８６】
図５に示す端末装置５００は前述の図２の方法実施例における端末装置によって実現される各過程を実現でき、重複を避けるために、ここでは更に詳しく説明することをしない。すなわち、本願実施例における方法実施例はプロセッサ及び送受信機によって実現されてもよい。
【００８７】
図６は本願実施例のネットワーク装置６００の模式的なブロック図である。
【００８８】
具体的に、図６に示すように、該ネットワーク装置６００は、
セル無線ネットワーク一時識別子（Ｃ−ＲＮＴＩ）でスクランブルされた第１物理ダウンリンク制御チャネル（ＰＤＣＣＨ）を該端末装置に送信することに用いられる送受信ユニット６１０を備える。
【００８９】
選択肢として、該送受信ユニット６１０は更に、
セル無線ネットワーク一時識別子（Ｃ−ＲＮＴＩ）でスクランブルされた第１物理ダウンリンク制御チャネル（ＰＤＣＣＨ）を該端末装置に送信する前に、該端末装置に設定情報を送信することに用いられ、該設定情報は該端末装置が該第１ＰＤＣＣＨに示されたリソースを取得した後に該端末装置の準静的スケジューリング（ＳＰＳ）タイマを停止又は起動するかどうかを決定することに用いられる。
【００９０】
選択肢として、該送受信ユニット６１０は具体的に、
該端末装置に無線リソース制御（ＲＲＣ）シグナリングを送信し、該ＲＲＣシグナリングは該設定情報を含むことに用いられる。
【００９１】
選択肢として、該送受信ユニット６１０は更に、
セル無線ネットワーク一時識別子（Ｃ−ＲＮＴＩ）でスクランブルされた第１物理ダウンリンク制御チャネル（ＰＤＣＣＨ）を該端末装置に送信する前に、準静的スケジューリング（ＳＰＳ）リソースにおいてネットワーク装置から送信された新しいデータを受信し、又はＳＰＳ無線ネットワーク一時識別子でスクランブルされた第１ＰＤＣＣＨによってスケジューリングされたリソースにおいて該端末装置から送信された再送データを受信することに用いられる。
【００９２】
本願実施例では、送受信ユニット６１０は送受信機によって実現されてもよい。図７に示すように、ネットワーク装置７００はプロセッサ７１０、送受信機７２０、及びメモリ７３０を備えてもよい。メモリ７３０は指示情報を記憶することに用いられてもよく、更にプロセッサ７１０の実行するコード、命令等を記憶することに用いられてもよい。ネットワーク装置７００における各構成要素はバスシステムを介して相互接続され、バスシステムはデータバスを備える他、更に電源バス、制御バス及び状態信号バスを備える。
【００９３】
図７に示すネットワーク装置７００は前述の図２の方法実施例におけるネットワーク装置によって実現される各過程を実現でき、重複を避けるために、ここでは更に詳しく説明することをしない。すなわち、本願実施例における方法実施例はプロセッサ及び送受信機によって実現されてもよい。
【００９４】
実現過程において、本願実施例における方法実施例の各ステップはプロセッサにおけるハードウェアの集積論理回路又はソフトウェア形式の命令で遂行できる。より具体的に、本願実施例に開示される方法のステップは、ハードウェアデコードプロセッサで遂行し、又はデコードプロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを遂行する。
【００９５】
理解されるように、本願実施例で言及されるプロセッサは信号を処理する能力を有する集積回路チップである可能性があり、本願実施例に開示される各方法、ステップ及び論理ブロック図を実現又は実行することができる。例えば、上記のプロセッサは、汎用プロセッサ、デジタル信号プロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネント等であってもよい。また、汎用プロセッサはマイクロプロセッサであってもよく、又は該プロセッサは更に如何なる通常のプロセッサ等であってもよい。
【００９６】
尚、本願実施例で言及されるメモリは揮発性メモリ又は不揮発性メモリであってもよく、又は、揮発性メモリと不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってもよい。揮発性メモリはランダムアクセスメモリ（ＲＡＭ、ｒａｎｄｏｍ  ａｃｃｅｓｓ  ｍｅｍｏｒｙ）であってもよく、外部キャッシュメモリとして使用される。理解されるように、上記メモリは例示的であって制限的なものではなく、例えば、本願実施例におけるメモリは更に、スタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本明細書に説明されるシステム及び方法のメモリはこれらのメモリ及び任意の他の適切なタイプのメモリを含むが、これらに限らないように意図されている。
【００９７】
最後に、本願実施例及び特許請求の範囲において使用される用語は単に特定の実施例を説明するためのものであり、本願実施例を制限するためのものではない。
【００９８】
例えば、本願実施例及び特許請求の範囲において使用される単数形の「１つ」、「前記」、「上記」及び「該」は、前後の文脈によって他の意味が明確に示された場合を除き、複数形も含むように意図されている。
【００９９】
また例えば、文脈によっては、ここで使用される「…時」は、「もし」又は「…の場合」又は「決定に応じて」又は「検出に応じて」という意味に解釈されてもよい。それと類似して、文脈によっては、「もし…決定」又は「もし…（説明した条件又は事件を）検出」という表現は、「決定された時」又は「決定に応じて」又は「（説明した条件又は事件を）検出する時」又は「（説明した条件又は事件を）検出することに応じて」という意味に解釈されてもよい。
【０１００】
当業者が意識できるように、本明細書に開示される実施例で記載される各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願実施例の範囲を超えるものと見なされるべきではない。
【０１０１】
当業者が明確に理解できるように、説明を容易且つ簡単にするために、上記説明されたシステム、装置及びユニットの具体的な動作過程は、前述の方法実施例における対応する過程を参照でき、ここでは詳細な説明は省略する。
【０１０２】
本出願の提供する幾つかの実施例において、理解されるように、開示されるシステム、装置及び方法は他の方式で実現されてもよい。例えば、上記の装置実施例は単に模式的なものであって、例えば、説明したユニットの区分は論理的な機能区分に過ぎず、実際の実施では別の区分方式があってもよく、例えば、複数のユニット又はコンポーネントが組み合わせられても、又は別のシステムに統合されてもよく、又は幾つかの特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１０３】
分離部材として説明された前記ユニットは物理的に分離したものであってもでなくてもよく、ユニットとして表示された部材は物理ユニットであってもでなくてもよく、即ち、一箇所に位置してもよく、又は複数のネットワークユニットに分散されてもよい。実際の需要に応じてその一部又は全部のユニットを選択して、本願実施例の目的を実現してもよい。
【０１０４】
また、本願実施例における各機能ユニットは１つの処理ユニットに統合されてもよく、各ユニットは独立して物理的に存在してもよく、２つ又は２つ以上のユニットが１つのユニットに統合されてもよい。
【０１０５】
もしソフトウェア機能ユニットの形で実現され、そして独立した製品として販売又は使用される場合、コンピュータ読み取り可能な記憶媒体に記憶されてもよい。このような理解に基づき、本願実施例の技術案の本質又は従来技術に貢献する部分、又は該技術案の一部はソフトウェア製品の形式で具現されてもよく、該コンピュータソフトウェア製品は１つの記憶媒体に記憶され、そして該コンピュータソフトウェア製品は、１台のコンピュータ装置（パーソナルコンピュータ、サーバ又はネットワーク装置等であってもよい）に本願実施例に記載の方法の全部又は一部のステップを実行させるための若干の命令を含む。前述の記憶媒体は、ＵＳＢディスク、リムーバブルハードディスク、読み出し専用メモリ、ランダムアクセスメモリ、磁気ディスク又は光ディスク等の、プログラムコードを記憶できる各種の媒体を含む。
【０１０６】
以上の内容は本願実施例の具体的な実施形態に過ぎず、本願の保護範囲を制限するためのものではなく、当業者が本願に開示される技術的範囲内において容易に想到し得る変更や置換は、いずれも本願実施例の保護範囲内に含まれるべきである。従って、本願実施例の保護範囲は、特許請求の範囲に記載の保護範囲に準じるべきである。
【図１】
2021508207.tif 000003
【図２】
2021508207.tif 000004
【図３】
2021508207.tif 000005
【図４】
2021508207.tif 000006
【図５】
2021508207.tif 000007
【図６】
2021508207.tif 000008
【図７】
2021508207.tif 000009
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
タイマを管理する方法であって、端末装置に適用され、
前記端末装置が第１物理ダウンリンク制御チャネル（ＰＤＣＣＨ）を取得することと、
セル無線ネットワーク一時識別子（Ｃ−ＲＮＴＩ）で前記第１ＰＤＣＣＨをスクランブルする場合、前記端末装置がタイマを停止又は起動又は再起動するかどうかを決定し、前記タイマは準静的スケジューリング（ＳＰＳ）タイマであることと、を含むことを特徴とする、タイマを管理する方法。
【請求項２】
前記タイマを停止又は起動又は再起動するかどうかを決定することは、
前記端末装置が第１条件を満たす場合、前記タイマを停止すると決定し、前記第１条件は前記端末装置が前記タイマを停止するかどうかを判断するための基準であることを含むことを特徴とする請求項１に記載の方法。
【請求項３】
前記端末装置が第１条件を満たす場合、前記タイマを停止すると決定することは、
前記端末装置が、前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳ  ＲＮＴＩでスクランブルされたＰＤＣＣＨによってスケジューリングされたリソースを使用してアップリンクデータの送信を行ったと決定した場合、前記タイマを停止することを含むことを特徴とする請求項２に記載の方法。
【請求項４】
前記端末装置が第１条件を満たす場合、前記タイマを停止すると決定することは、
前記端末装置が、前記端末装置の前記第１ＰＤＣＣＨに対応するハイブリッド自動再送要求（ＨＡＲＱ）プロセスが前記第１ＰＤＣＣＨによってスケジューリングされたリソースを使用する前に、ＳＰＳリソースを使用してアップリンクデータの送信を行ったと決定した場合、前記タイマを停止することを含むことを特徴とする請求項２に記載の方法。
【請求項５】
前記端末装置が第１条件を満たす場合、前記タイマを停止すると決定することは、
前記端末装置が前記タイマが作動していると決定した場合、前記タイマを停止することを含むことを特徴とする請求項２に記載の方法。
【請求項６】
前記タイマを停止又は起動又は再起動するかどうかを決定することは、
前記端末装置が第２条件を満たす場合、前記タイマを起動又は再起動すると決定し、前記第２条件は前記端末装置が前記タイマを起動するかどうかを判断するための基準であることを含むことを特徴とする請求項１〜５のいずれか１項に記載の方法。
【請求項７】
前記端末装置が第２条件を満たす場合、前記タイマを起動又は再起動すると決定することは、
前記端末装置が、ＳＰＳリソースが配置されていると決定した場合、前記タイマを起動又は再起動することを含むことを特徴とする請求項６に記載の方法。
【請求項８】
前記端末装置がＳＰＳリソースが配置されていると決定した場合、前記タイマを起動又は再起動することは、
前記端末装置が、ＳＰＳリソースが配置され且つ前記端末装置の前記ＳＰＳリソースはアクティブ化されていると決定した場合、前記タイマを起動又は再起動することを含むことを特徴とする請求項７に記載の方法。
【請求項９】
前記タイマを停止又は起動又は再起動するかどうかを決定する前に、前記方法は更に、
前記端末装置が前記ネットワーク装置から送信された設定情報を受信し、前記設定情報は前記端末装置が前記タイマを停止又は起動又は再起動するかどうかを決定することに用いられることを含み、
前記タイマを停止又は起動又は再起動するかどうかを決定することは、
前記端末装置が前記設定情報に基づいて、前記タイマを停止又は起動又は再起動するかどうかを決定することを含むことを特徴とする請求項１に記載の方法。
【請求項１０】
前記端末装置が前記ネットワーク装置から送信された設定情報を受信することは、
前記端末装置が前記ネットワーク装置から送信された無線リソース制御（ＲＲＣ）シグナリングを受信し、前記ＲＲＣシグナリングは前記設定情報を含むことを含むことを特徴とする請求項９に記載の方法。
【請求項１１】
前記タイマを停止又は起動又は再起動するかどうかを決定する前に、前記方法は更に、
前記端末装置がＳＰＳリソースにおいてネットワーク装置に新しいデータを送信し、又はＳＰＳ無線ネットワーク一時識別子でスクランブルされた第２ＰＤＣＣＨによってスケジューリングされたリソースにおいてネットワーク装置に再送データを送信することと、
前記端末装置が前記タイマを起動することと、を含むことを特徴とする請求項１〜１０のいずれか１項に記載の方法。
【請求項１２】
端末装置であって、請求項１〜１０のいずれか１項に記載の方法を実行することに用いられる端末装置。
【手続補正２】
【補正対象書類名】図面
【補正対象項目名】図６
【補正方法】変更
【補正の内容】
【図６】
2021508207.tif 000010
【国際調査報告】
2021508207.tif 000011
2021508207.tif 000012
2021508207.tif 000013
2021508207.tif 000014